(57)【要約】【課題】夏場の暑い時期や冬場の寒い時期などの電力供給の逼迫時に、携帯端末の消費電力を抑制すること。【解決手段】本発明の携帯端末は、前記携帯端末の現在位置付近の外気温を示す外気温情報を取得する外気温情報取得部と、前記外気温情報が示す外気温が一定範囲外である場合、前記携帯端末の動作を制限する制限部と、を有する。【選択図】図１
2013153255.tif 000002
【特許請求の範囲】
【請求項１】
携帯端末であって、
前記携帯端末の現在位置付近の外気温を示す外気温情報を取得する外気温情報取得部と、
前記外気温情報が示す外気温が一定範囲外である場合、前記携帯端末の動作を制限する制限部と、を有する携帯端末。
【請求項２】
前記携帯端末の周囲の外気温を検出し、検出した外気温を示す端末側外気温情報を出力する外気温検出部と、
サーバから前記携帯端末が在圏する地域の外気温を示すサーバ側外気温情報を受信する通信部をさらに有し、
前記外気温情報取得部は、
前記外気温検出部から出力された前記端末側外気温情報および前記通信部にて受信された前記サーバ側外気温情報を、前記外気温情報として取得し、
前記制限部は、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、請求項１に記載の携帯端末。
【請求項３】
前記携帯端末の現在位置を示す位置情報を取得する位置情報取得部をさらに有し、
前記通信部は、
前記サーバに対して前記位置情報を送信し、その応答として、前記携帯端末が在圏する地域の外気温を示す前記サーバ側外気温情報を前記サーバから受信する、請求項１または２に記載の携帯端末。
【請求項４】
サーバから前記携帯端末が在圏する地域の外気温を示すサーバ側外気温情報を受信する通信部をさらに有し、
前記外気温情報取得部は、
前記通信部にて受信された前記サーバ側外気温情報を、前記外気温情報として取得し、
前記制限部は、
前記サーバ側外気温情報が示す外気温が一定範囲外である場合、前記携帯端末の動作を制限する、請求項１に記載の携帯端末。
【請求項５】
サーバと、
携帯端末と、を有し、
前記サーバは、
前記携帯端末が在圏する地域の外気温を示すサーバ側外気温情報を前記携帯端末に対して送信するサーバ側通信部を備え、
前記携帯端末は、
前記サーバから前記サーバ側外気温情報を受信する端末側通信部と、
前記携帯端末の周囲の外気温を検出し、検出した外気温を示す端末側外気温情報を出力する外気温検出部と、
前記外気温検出部から出力された前記端末側外気温情報および前記端末側通信部にて受信された前記サーバ側外気温情報を取得する外気温情報取得部と、
前記端末側外気温情報が示す外気温が一定範囲外である場合、前記携帯端末の動作を制限し、前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する制限部と、を備える携帯端末システム。
【請求項６】
前記携帯端末は、
前記携帯端末の現在位置を示す位置情報を取得する位置情報取得部をさらに備え、
前記端末側通信部は、
前記サーバに対して前記位置情報を送信し、
前記サーバは、
複数の地域の外気温を示すサーバ側外気温情報を格納するデータベースをさらに備え、
前記サーバ側通信部は、
前記携帯端末から前記位置情報を受信した場合、前記位置情報が示す位置に応じて前記携帯端末が在圏する地域を特定し、特定した地域の外気温を示す前記サーバ側外気温情報を前記携帯端末に対して送信する、請求項５に記載の携帯端末システム。
【請求項７】
前記サーバは、
複数の地域の外気温を示すサーバ側外気温情報を格納するデータベースをさらに備え、
前記サーバ側通信部は、
前記複数の地域の中から前記サーバ側外気温情報が示す外気温が一定範囲外である地域を特定し、特定した地域に在圏する携帯端末に対し、特定した地域の前記サーバ側外気温情報を送信し、
前記端末側通信部は、
前記サーバから前記サーバ側外気温情報を受信し、
前記外気温情報取得部は、
前記端末側通信部にて受信された前記サーバ側外気温情報を、前記外気温情報として取得し、
前記制限部は、
前記サーバ側外気温情報が示す外気温が一定範囲外である場合、前記携帯端末の動作を制限する、請求項５に記載の携帯端末システム。
【請求項８】
携帯端末の制御方法であって、
前記携帯端末の現在位置付近の外気温を示す外気温情報を取得する取得ステップと、
前記外気温情報が示す外気温が一定範囲外である場合、前記携帯端末の動作を制限する制限ステップと、を有する制御方法。
【請求項９】
前記携帯端末の周囲の外気温を検出し、検出した外気温を示す端末側外気温情報を出力するステップと、
サーバから前記携帯端末が在圏する地域の外気温を示すサーバ側外気温情報を受信する受信ステップと、をさらに有し、
前記取得ステップでは、
前記端末側外気温情報および前記サーバ側外気温情報を、前記外気温情報として取得し、
前記制限ステップでは、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、請求項８に記載の制御方法。
【請求項１０】
携帯端末に、
前記携帯端末の現在位置付近の外気温を示す外気温情報を取得する取得手順と、
前記外気温情報が示す外気温が一定範囲外である場合、前記携帯端末の動作を制限する制限手順と、を実行させるためのプログラム。
【発明の詳細な説明】
【技術分野】
【０００１】
本発明は、携帯電話機等の携帯端末の消費電力を抑制するための技術に関する。
【背景技術】
【０００２】
電力会社の電力供給能力には限度がある。特に、夏場の暑い時期と冬場の寒い時期は、空調機の使用頻度が高くなること等に起因して、電力供給が逼迫する。
【０００３】
そのため、携帯電話機等の携帯端末に対しても、電力供給の逼迫時に、消費電力を抑制することが望まれている。
【０００４】
携帯端末の消費電力を抑制する技術として、例えば、特許文献１には、筐体内の温度を検出し、検出した温度に応じて充電電流を減少させる技術が記載されている。
【先行技術文献】
【特許文献】
【０００５】
【特許文献１】特開２００５−０５１９３０号公報
【発明の概要】
【発明が解決しようとする課題】
【０００６】
特許文献１に記載の技術は、携帯端末の筐体内の温度に応じて充電電流を減少させることで、消費電力を抑制することが可能である。
【０００７】
しかし、携帯端末の筐体内の温度は、表示部等の発熱量に依存し、外気温には必ずしも依存しない。
【０００８】
そのため、特許文献１に記載の技術は、夏場の暑い時期や冬場の寒い時期などの電力供給の逼迫時に、消費電力を必ずしも抑制することができないという課題がある。
【０００９】
そこで、本発明の目的は、上述した課題を解決し、電力供給の逼迫時に、消費電力を抑制することができる携帯端末、携帯端末システム、携帯端末の制御方法、プログラムを提供することにある。
【課題を解決するための手段】
【００１０】
本発明の携帯端末は、
携帯端末であって、
前記携帯端末の現在位置付近の外気温を示す外気温情報を取得する外気温情報取得部と、
前記外気温情報が示す外気温が一定範囲外である場合、前記携帯端末の動作を制限する制限部と、を有する。
【００１１】
本発明の携帯端末システムは、
サーバと、
携帯端末と、を有し、
前記サーバは、
前記携帯端末が在圏する地域の外気温を示すサーバ側外気温情報を前記携帯端末に対して送信するサーバ側通信部を備え、
前記携帯端末は、
前記サーバから前記サーバ側外気温情報を受信する端末側通信部と、
前記携帯端末の周囲の外気温を検出し、検出した外気温を示す端末側外気温情報を出力する外気温検出部と、
前記外気温検出部から出力された前記端末側外気温情報および前記端末側通信部にて受信された前記サーバ側外気温情報を取得する外気温情報取得部と、
前記端末側外気温情報が示す外気温が一定範囲外である場合、前記携帯端末の動作を制限し、前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する制限部と、を備える。
【００１２】
本発明のプログラムは、
携帯端末に、
前記携帯端末の現在位置付近の外気温を示す外気温情報を取得する取得手順と、
前記外気温情報が示す外気温が一定範囲外である場合、前記携帯端末の動作を制限する制限手順と、を実行させる。
【発明の効果】
【００１３】
本発明によれば、夏場の暑い時期や冬場の寒い時期などの電力供給の逼迫時に、携帯端末の消費電力を抑制することができるという効果が得られる。
【図面の簡単な説明】
【００１４】
【図１】本発明の第１の実施形態の携帯端末の構成を示すブロック図である。
【図２】本発明の第２の実施形態の携帯端末システムの構成を示すブロック図である。
【図３】本発明の第２の実施形態の携帯端末システムの動作を説明するフローチャートである。
【図４】本発明の第３の実施形態の携帯端末システムの構成を示すブロック図である。
【図５】本発明の第３の実施形態の携帯端末システムの動作を説明するフローチャートである。
【発明を実施するための形態】
【００１５】
以下に、本発明を実施するための形態について図面を参照して説明する。
（１）第１の実施形態
図１に示すように、本実施形態の携帯端末１０は、外気温情報取得部１１と、制限部１２と、を有している。
【００１６】
外気温情報取得部１１は、携帯端末１０の現在位置付近の外気温を示す外気温情報を取得する。なお、携帯端末１０の現在位置付近とは、携帯端末１０が在圏する地域等の比較的広い範囲を含んでいても良い。
【００１７】
例えば、携帯端末１０に、携帯端末１０の周囲の外気温を検出する手段が設けられている場合、外気温情報取得部１１は、この手段から外気温情報を取得しても良い。
【００１８】
また、携帯端末１０の外部に、各地域の外気温を示す外気温情報を格納するサーバが存在する場合、外気温情報取得部１１は、このサーバから外気温情報を取得しても良い。サーバから取得する外気温情報は、携帯端末１０が在圏する地域の外気温情報でも良いし、携帯端末１０が在圏する地域と同じ電力管内にある別の地域の温度分布情報から重み付けされた外気温情報でも良い。
【００１９】
制限部１２は、外気温情報が示す外気温が一定範囲外である場合、携帯端末１０の動作を制限する。
【００２０】
携帯端末１０の動作を制限する方法としては、例えば、以下が考えられる。
【００２１】
携帯端末１０が電池パックを搭載しており、電池パックの充電中である場合、制限部１２は、充電電流を減少させる。
【００２２】
また、携帯端末１０が液晶パネルとバックライトから構成された表示部を備えている場合、制限部１２は、バックライトの輝度を下げる。
【００２３】
また、制限部１２は、携帯端末１０の内部で用いるクロック周波数を下げたり、高負荷のアプリケーションの実行を制限したりする。
【００２４】
これにより、携帯端末１０の消費電力が抑制される。
【００２５】
また、バックライトの輝度およびクロック周波数の制御や、高負荷のアプリケーションの実行制限は、電池パックの充電頻度を少なくすることにも繋がる。
【００２６】
また、制限部１２は、携帯端末１０が携帯電話機である場合、基地局サーチなどの頻度を低下させたり、通信・通話を制限したりする。
【００２７】
通話・通信制限を行うに際しては、予め省電力モードで、外気温による通話・通信制限の可否を登録可能とし、その登録ステータスに応じて通話・通信制限を行っても良いし、このような登録をせずに、標準機能として通話・通信制限を行っても良い。
【００２８】
通話制限とは、通話操作の際、至急か否かのメッセージを表示し、通話要否の入力を要求する、指定通話先以外は通話要否の入力を要求する等が考えられる。
【００２９】
通信制限とは、送信操作の際、至急か否かのメッセージを表示し、通信要否の入力を要求する、指定送信先以外は通信要否の入力を要求する、送信を保留にし、外気温が一定範囲内に入ったときに送信する、インターネットからの情報のダウンロードを保留にし、外気温が一定範囲内に入ったときにダウンロードを行う等が考えられる。ただし、受信には制限を設けなくても良い。
【００３０】
これにより、携帯端末１０の消費電力だけでなく、携帯電話網、さらに、インターネット通信網の電力が低減される。また、通信用サーバ、ルータ、その他通信装置等の負荷が減ることから、これらの装置の電力も低減される。さらには、通信相手側の電力をも低減される。
【００３１】
上述したように本実施形態においては、携帯端末１０は、現在位置付近の外気温が一定範囲外である場合、携帯端末１０の動作を制限する。
【００３２】
そのため、夏場の暑い時期や冬場の寒い時期などの電力供給の逼迫時に、携帯端末１０の動作を制限し、消費電力を抑制することができるという効果が得られる。
【００３３】
また、携帯電話網、インターネット通信網、通信用サーバ、ルータ、その他通信装置、通信相手側の電力をも低減することができるという効果が得られる。
（２）第２の実施形態
本実施形態は、本発明の携帯端末を携帯電話機に適用し、第１の実施形態の構成および動作を具体化した例である。また、本実施形態は、本発明の携帯端末を含む携帯端末システムとして構成されるものである。
【００３４】
図２に示すように、本実施形態の携帯端末システムは、携帯端末１００と、基地局２００と、外気温情報蓄積サーバ３００と、を有している。
【００３５】
携帯端末１００は、外気温検出部１０１と、接続ＩＦ（Interface）１０２と、タイマ制御部１０３と、ＧＰＳ（Global Positioning System）部１０４と、通信部（端末側通信部）１０５と、表示部１０６と、バックライト制御部１０７と、充電制御部１０８と、クロック制御部１０９と、ＣＰＵ（Central Processing Unit）１１０と、を有している。
【００３６】
外気温検出部１０１は、携帯端末１００の周囲の外気温を検出し、検出した外気温を示す端末側外気温情報を出力する。
【００３７】
ここで、外気温検出部１０１は、携帯端末１００の内部に搭載すると、外気温を検出できない可能性がある。そのため、本実施形態においては、外気温検出部１０１を着脱自在に接続ＩＦ１０２に接続する構成としている。
【００３８】
接続ＩＦ１０２は、上述のように、外気温検出部１０１を着脱自在に接続するインターフェースであり、有線、無線を問わない。
【００３９】
タイマ制御部１０３は、外気温検出部１０１が外気温を検出するタイミングになると、ＣＰＵ１１０に対する割り込みを発生する。
【００４０】
ＧＰＳ部１０４は、ＧＰＳ衛星からＧＰＳ信号を受信し、受信したＧＰＳ信号を基に、携帯端末１０の現在位置を示す位置情報を取得する位置情報取得部である。
【００４１】
通信部１０５は、基地局２００を介して外気温情報蓄積サーバ３００と通信を行う。
【００４２】
例えば、通信部１０５は、外気温情報蓄積サーバ３００に対し、ＧＰＳ部１０４が取得した位置情報を送信し、その応答として、携帯端末１００が在圏する地域の外気温を示すサーバ側外気温情報を外気温情報蓄積サーバ３００から受信する。
【００４３】
表示部１０６は、液晶パネルとバックライトから構成され、アプリケーション画面等の各種の情報を表示する。
【００４４】
バックライト制御部１０７は、表示部１０６のバックライトの輝度を制御する。
【００４５】
充電制御部１０８は、携帯端末１００に搭載された電池パック（不図示）へ充電をする際の充電電流を制御する。
【００４６】
クロック制御部１０９は、携帯端末１０の内部で用いるクロック周波数を制御する。
【００４７】
ＣＰＵ１１０は、携帯端末１００内の構成要素を制御するものであり、アプリケーション実行部１１０Ａと、図１に示した外気温情報取得部１１に対応する外気温情報取得部１１０Ｂと、図１に示した制限部１２に対応する制限部１１０Ｃと、を有している。
【００４８】
アプリケーション実行部１１０Ａは、アプリケーションを実行する。
【００４９】
外気温情報取得部１１０Ｂは、外気温検出部１０１から出力される端末側外気温情報を取得すると共に、通信部１０５にて受信されたサーバ側外気温情報を取得する。
【００５０】
制限部１１０Ｃは、端末側外気温情報が示す外気温が一定範囲外である場合、携帯端末１００の動作を制限する。
【００５１】
また、制限部１１０Ｃは、端末側外気温情報が示す外気温が一定範囲内である場合、サーバ側外気温情報を用いて、端末側外気温情報を検証する。そして、制限部１１０Ｃは、携帯端末１００が空調機を使用している屋内に位置する等の理由で、端末側外気温情報が真の外気温を示していない場合、サーバ側外気温情報が示す外気温が一定範囲外であれば、携帯端末１００の動作を制限する。
【００５２】
本実施形態においては、制限部１１０Ｃは、以下のように、携帯端末１００の動作を制限する。
【００５３】
すなわち、制限部１１０Ｃは、電池パックの充電中である場合、充電制御部１０８に対し、充電電流を減少するよう指示する。
【００５４】
また、制限部１１０Ｃは、バックライト制御部１０７に対し、表示部１０６のバックライトの輝度を下げるよう指示する。
【００５５】
また、制限部１１０Ｃは、クロック制御部１０９に対し、クロック周波数を下げるよう指示する。
【００５６】
また、制限部１１０Ｃは、アプリケーション実行部１０１Ｃに対し、高負荷のアプリケーションを指定し、そのアプリケーションを実行しないよう指示する。
【００５７】
これにより、携帯端末１００の消費電力が抑制される。
【００５８】
また、バックライトの輝度およびクロック周波数の制御や、高負荷のアプリケーションの実行制限は、充電パックの充電頻度を少なくすることにも繋がる。
【００５９】
基地局２００は、携帯端末１００と無線通信を行うと共に、外気温情報蓄積サーバ３００と通信を行う。なお、基地局２００は、本発明の本質的な部分ではなく、周知の構成を適用すれば良いため、基地局２００の内部構成の図示および説明は省略する。
【００６０】
外気温情報蓄積サーバ３００は、インターネット上に設けられたサーバであり、データベース３０１と、通信部（サーバ側通信部）３０２と、を有している。なお、外気温情報蓄積サーバ３００は、通信事業者がサービスとして提供するものとする。
【００６１】
データベース３０１は、複数の地域ごとに、その地域の位置を示す位置情報と、その地域の現在の外気温を示すサーバ側外気温情報と、を格納する。なお、サーバ側外気温情報は、各地域に位置する所定の装置で実測された実測値を収集する等、任意の方法で収集することができる。また、サーバ側外気温情報は、実測値に限らず、予測値でも良い。
【００６２】
通信部３０２は、携帯端末１００から位置情報を受信した場合、データベース３０１を参照し、位置情報が示す位置に応じて携帯端末１００が在圏する地域を特定し、特定した地域の外気温を示すサーバ側外気温情報を抽出して携帯端末１００に対して送信する。
【００６３】
以下、本実施形態の携帯端末システムの動作について、図３のフローチャートに沿って説明する。
【００６４】
図３に示すように、携帯端末１００においては、タイマ制御部１０３は、予め設定された時間が経過し、外気温検出部１０１が外気温を検出するタイミングになると、ＣＰＵ１１０に対する割り込みを発生する（ステップＡ１）。
【００６５】
外気温情報取得部１１０Ｂは、割り込みの発生を契機に、外気温検出部１０１に対し、外気温を検出するよう指示し、外気温検出部１０１が検出した携帯端末１０の周囲の外気温を示す端末側外気温情報を取得する（ステップＡ２）。
【００６６】
次に、制限部１１０Ｃは、端末側外気温情報が示す外気温が一定範囲内であるか否かを判定する（ステップＡ３）。
【００６７】
ステップＡ３において、端末側外気温情報が示す外気温が一定範囲内である場合、携帯端末１００が屋内にある可能性がある。例えば、屋外が非常に高温で、屋内が空調機の使用等で適温である場合は、携帯端末１００側で外気温を検出するのみでは携帯端末１００の動作を制限することができない。
【００６８】
そこで、以降、外気温情報蓄積サーバ３００に格納されたサーバ側外気温情報を用いて、端末側外気温情報を検証する処理を行う。
【００６９】
すなわち、まず、外気温情報取得部１１０Ｂは、ＧＰＳ部１０４から携帯端末１０の現在位置を示す位置情報を取得し（ステップＡ４）、取得した位置情報を通信部１０５経由で外気温情報蓄積サーバ３００に対して送信する（ステップＡ５）。
【００７０】
外気温情報蓄積サーバ３００においては、通信部３０２は、携帯端末１００から位置情報を受信すると、データベース３０１を参照し、その位置情報が示す位置に応じて携帯端末１００が在圏する地域を特定し、特定した地域の外気温を示すサーバ側外気温情報をデータベース３０１から抽出し（ステップＡ６）、抽出したサーバ側外気温情報を携帯端末１００に対して送信する（ステップＡ７）。
【００７１】
携帯端末１００においては、外気温情報蓄積サーバ３００からのサーバ側外気温情報を通信部１０５にて受信すると、外気温情報取得部１１０Ｂは、そのサーバ側外気温情報を取得する。
【００７２】
次に、制限部１１０Ｃは、端末側外気温情報およびサーバ側外気温情報がそれぞれ示す外気温の温度差を求め、求めた温度差を閾値と比較し（ステップＡ８）、閾値未満である場合、端末側外気温情報が適正であると判断し、処理を終了する。
【００７３】
また、ステップＡ８において、温度差が閾値以上である場合、制限部１１０Ｃは、端末側外気温情報が真の外気温を示していないと判断し、サーバ側外気温情報が示す外気温が現在の外気温であるとみなす。そして、制限部１１０Ｃは、サーバ側外気温情報が示す外気温が一定範囲内であるか否かを判定し（ステップＡ９）、一定範囲内である場合、処理を終了する。
【００７４】
ステップＡ３において、端末側外気温情報が示す外気温が一定範囲外である場合、および、ステップＡ９において、サーバ側外気温情報が示す外気温が一定範囲外である場合、以降、制限部１１０Ｃは、携帯端末１００の動作を制限する処理を行う。
【００７５】
すなわち、まず、制限部１１０Ｃは、電池パックの充電中であるか否かを判定し（ステップＡ１０）、充電中である場合、充電制御部１０８に対し、充電電流を減少するよう指示し、これを受けて、充電制御部１０８は、充電電流を減少させる（ステップＡ１１）。
【００７６】
次に、制限部１１０Ｃは、バックライト制御部１０７に対し、表示部１０６のバックライトの輝度を下げるよう指示し、これを受けて、バックライト制御部１０７は、バックライトの輝度を下げる（ステップＡ１２）。
【００７７】
次に、制限部１１０Ｃは、クロック制御部１０９に対し、クロック周波数を下げるよう指示し、これを受けて、これを受けて、クロック制御部１０９は、クロック周波数を下げる（ステップＡ１３）。
【００７８】
次に、制限部１１０Ｃは、アプリケーション実行部１０１Ｃに対し、高負荷のアプリケーションを指定し、そのアプリケーションを実行しないよう指示し、これを受けて、これを受けて、アプリケーション実行部１０１Ｃは、高負荷のアプリケーションの実行を制限する（ステップＡ１４）。
【００７９】
以上で処理を終了する。
【００８０】
上述したように本実施形態においては、携帯端末１００は、外気温検出部１０１が検出した携帯端末１００の周囲の外気温が一定範囲外である場合、携帯端末１００の動作を制限する。
【００８１】
そのため、第１の実施形態と同様に、夏場の暑い時期や冬場の寒い時期などの電力供給の逼迫時に、携帯端末１００の動作を制限し、消費電力を抑制することができるという効果が得られる。
【００８２】
また、本実施形態においては、携帯端末１００は、外気温検出部１０１が検出した携帯端末１００の周囲の外気温が一定範囲内である場合、携帯端末１００が屋内にある可能性があるため、サーバ側外気温情報を用いて、端末側外気温情報を検証する。そして、携帯端末１００は、端末側外気温情報が真の外気温を示していない場合、サーバ側外気温情報が示す外気温を現在の外気温とみなし、その外気温が一定範囲外であれば、携帯端末１００の動作を制限する。
【００８３】
そのため、例えば、屋外が非常に高温で、携帯端末１００が空調機の使用等で適温である屋内にある場合も、携帯端末１００の動作を制限し、消費電力を抑制することができるという効果が得られる。
（３）第３の実施形態
第２の実施形態は、携帯端末１００が、自身が検出した外気温が一定範囲外である場合、外気温情報蓄積サーバ３００に位置情報を送信し、その応答として、携帯端末１００が在圏する地域のサーバ側外気温情報を受信する構成であった。
【００８４】
これに対して、本実施形態は、外気温情報蓄積サーバ３００が、自発的に一定範囲外の外気温である地域を特定し、特定した地域に在圏する携帯端末１００に対し、サーバ側外気温情報をブロードキャストで送信する構成である。
【００８５】
図４に示すように、本実施形態の携帯端末システムは、図２に示した第２の実施形態と比較して、携帯端末１００内の外気温検出部１０１および接続ＩＦ１０２を削除した点が異なり、その他の構成は同様である。
【００８６】
以下、本実施形態の携帯端末システムの動作について、図５のフローチャートに沿って説明する。
【００８７】
図５に示すように、外気温情報蓄積サーバ３００においては、通信部３０２は、データベース３０１を参照し、一定範囲外の外気温である地域を特定する（ステップＢ１）。なお、ステップＢ１の処理は、例えば、予め設定された時刻に行っても良いし、予め設定された時間間隔で行っても良い。
【００８８】
次に、通信部３０２は、ステップＢ１で特定した地域の位置を示す位置情報（以下、地域位置情報と称す）とその地域の外気温を示すサーバ側外気温情報とをデータベース３０１から抽出し（ステップＢ２）、ステップＢ１で特定した地域に在圏する携帯端末１００に対し、ステップＢ２で抽出した地域位置情報およびサーバ側外気温情報をブロードキャストで送信する（ステップＢ３）。
【００８９】
携帯端末１００においては、外気温情報蓄積サーバ３００からの地域位置情報およびサーバ側外気温情報を通信部１０５にて受信すると（ステップＢ４）、外気温情報取得部１１０Ｂは、その地域位置情報およびサーバ側外気温情報を取得する。
【００９０】
次に、制限部１１０Ｃは、ＧＰＳ部１０４から携帯端末１００の現在位置を示す位置情報（以下、端末位置情報と称す）を取得し（ステップＢ５）、取得した端末位置情報を地域位置情報と照合し、携帯端末１００が在圏する地域が、一定範囲外の外気温である該当地域であるか否かを判定する（ステップＢ６）。該当地域でなければ、処理を終了する。
【００９１】
ステップＢ６において、該当地域である場合、制限部１１０Ｃは、サーバ側外気温情報を参照して、携帯端末１００が在圏する地域の外気温が一定範囲外になっていることを確認し、以降、携帯端末１００の動作を制限する処理を行う。すなわち、図３のステップＡ１０〜Ａ１４と同様のステップＢ７〜Ｂ１１の処理を行う。
【００９２】
上述したように本実施形態においては、外気温情報蓄積サーバ３００は、一定範囲外の外気温である地域に在圏する携帯端末１００に対し、サーバ側外気温情報をブロードキャストで送信し、その地域に在圏しサーバ側外気温情報を受信した携帯端末１００は、携帯端末１００の動作を制限する。
【００９３】
そのため、第１および第２の実施形態と同様に、夏場の暑い時期や冬場の寒い時期などの電力供給の逼迫時に、携帯端末１００の動作を制限し、消費電力を抑制することができるという効果が得られる。
【００９４】
また、第２の実施形態と比較して、携帯端末１００に外気温検出部１０１を設けなくても上記の効果が得られる。
（４）他の実施形態
以上、実施形態を参照して本発明を説明したが、本発明は上記実施形態に限定されるものではない。本発明の構成や詳細には、本発明の範囲内で当業者が理解し得る様々な変更をすることができる。
【００９５】
例えば、第３の実施形態においては、携帯端末は、サーバ側外気温情報を受信すると、携帯端末が在圏する地域が該当地域であるか否かを判定し、該当地域である場合に、携帯端末の動作を制限する処理を行っている。
【００９６】
しかし、携帯端末は、現時点で該当地域に在圏していない場合も、サーバ側外気温情報を受信した時点では該当地域に在圏しており、現在も、該当地域から比較的に近い地域に在圏している可能性が高い。
【００９７】
そこで、携帯端末は、サーバ側外気温情報を受信した時点で、携帯端末の動作を制限する処理を行っても良い。
【００９８】
また、第１から第３の実施形態においては、外気温が一定範囲外である場合に、携帯端末の動作を制限したが、外気温が所定温度以上または所定温度以下である場合に、携帯端末の動作を制限しても良い。
【００９９】
また、第１から第３の実施形態においては、携帯端末の動作を制限する条件として、外気温を用いたが、外気の湿度を追加しても良い。その場合、携帯端末は、現在位置付近の外気温と外気の湿度を示す情報を取得し、例えば、外気温が一定範囲外であり、かつ、外気の湿度が一定範囲外である場合に、携帯端末の動作を制限することが考えられる。
【０１００】
また、第２および第３の実施形態においては、携帯端末の動作を制限する例として、充電電流を減らす例等を挙げたが、第１の実施形態で説明した、携帯端末の通話・通信制限等を追加で行っても良い。
【０１０１】
また、第２および第３の実施形態においては、携帯端末の一例として携帯電話機を例に挙げたが、本発明はこれに限定されず、携帯端末は、スマートフォン、ゲーム機、タブレット型ＰＣ（Personal Computer）、ノート型ＰＣ、ＰＤＡ（Personal Data Assistants：携帯情報端末）などでも良い。
【０１０２】
また、本発明の携帯端末にて行われる方法は、コンピュータに実行させるためのプログラムに適用しても良い。また、そのプログラムを記憶媒体に格納することも可能であり、ネットワークを介して外部に提供することも可能である。
【０１０３】
また、上記の実施の形態の一部または全部は、以下の付記のようにも記載されうるが、以下には限られない。
（付記１）
携帯端末であって、
前記携帯端末の現在位置付近の外気温を示す外気温情報を取得する外気温情報取得部と、
前記外気温情報が示す外気温が一定範囲外である場合、前記携帯端末の動作を制限する制限部と、を有する携帯端末。
（付記２）
前記携帯端末の周囲の外気温を検出し、検出した外気温を示す端末側外気温情報を出力する外気温検出部と、
サーバから前記携帯端末が在圏する地域の外気温を示すサーバ側外気温情報を受信する通信部をさらに有し、
前記外気温情報取得部は、
前記外気温検出部から出力された前記端末側外気温情報および前記通信部にて受信された前記サーバ側外気温情報を、前記外気温情報として取得し、
前記制限部は、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、付記１に記載の携帯端末。
（付記３）
前記携帯端末の現在位置を示す位置情報を取得する位置情報取得部をさらに有し、
前記通信部は、
前記サーバに対して前記位置情報を送信し、その応答として、前記携帯端末が在圏する地域の外気温を示す前記サーバ側外気温情報を前記サーバから受信する、付記１または２に記載の携帯端末。
（付記４）
サーバから前記携帯端末が在圏する地域の外気温を示すサーバ側外気温情報を受信する通信部をさらに有し、
前記外気温情報取得部は、
前記通信部にて受信された前記サーバ側外気温情報を、前記外気温情報として取得し、
前記制限部は、
前記サーバ側外気温情報が示す外気温が一定範囲外である場合、前記携帯端末の動作を制限する、付記１に記載の携帯端末。
（付記５）
携帯端末を有し、
前記携帯端末は、
前記携帯端末の現在位置付近の外気温を示す外気温情報を取得する外気温情報取得部と、
前記外気温情報が示す外気温が一定範囲外である場合、前記携帯端末の動作を制限する制限部と、を備える携帯端末システム。
（付記６）
サーバをさらに有し、
前記サーバは、
前記携帯端末が在圏する地域の外気温を示すサーバ側外気温情報を前記携帯端末に対して送信するサーバ側通信部を備え、
前記携帯端末は、
前記サーバから前記サーバ側外気温情報を受信する端末側通信部と、
前記携帯端末の周囲の外気温を検出し、検出した外気温を示す端末側外気温情報を出力する外気温検出部と、をさらに備え、
前記外気温情報取得部は、
前記外気温検出部から出力された前記端末側外気温情報および前記端末側通信部にて受信された前記サーバ側外気温情報を、前記外気温情報として取得し、
前記制限部は、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、付記５に記載の携帯端末システム。
（付記７）
前記携帯端末は、
前記携帯端末の現在位置を示す位置情報を取得する位置情報取得部をさらに備え、
前記端末側通信部は、
前記サーバに対して前記位置情報を送信し、
前記サーバは、
複数の地域の外気温を示すサーバ側外気温情報を格納するデータベースをさらに備え、
前記サーバ側通信部は、
前記携帯端末から前記位置情報を受信した場合、前記位置情報が示す位置に応じて前記携帯端末が在圏する地域を特定し、特定した地域の外気温を示す前記サーバ側外気温情報を前記携帯端末に対して送信する、付記５または６に記載の携帯端末システム。
（付記８）
前記サーバは、
複数の地域の外気温を示すサーバ側外気温情報を格納するデータベースをさらに備え、
前記サーバ側通信部は、
前記複数の地域の中から前記サーバ側外気温情報が示す外気温が一定範囲外である地域を特定し、特定した地域に在圏する携帯端末に対し、特定した地域の前記サーバ側外気温情報を送信し、
前記端末側通信部は、
前記サーバから前記サーバ側外気温情報を受信し、
前記外気温情報取得部は、
前記端末側通信部にて受信された前記サーバ側外気温情報を、前記外気温情報として取得し、
前記制限部は、
前記サーバ側外気温情報が示す外気温が一定範囲外である場合、前記携帯端末の動作を制限する、付記５に記載の携帯端末システム。
（付記９）
携帯端末の制御方法であって、
前記携帯端末の現在位置付近の外気温を示す外気温情報を取得する取得ステップと、
前記外気温情報が示す外気温が一定範囲外である場合、前記携帯端末の動作を制限する制限ステップと、を有する制御方法。
（付記１０）
前記携帯端末の周囲の外気温を検出し、検出した外気温を示す端末側外気温情報を出力するステップと、
サーバから前記携帯端末が在圏する地域の外気温を示すサーバ側外気温情報を受信する受信ステップと、をさらに有し、
前記取得ステップでは、
前記端末側外気温情報および前記サーバ側外気温情報を、前記外気温情報として取得し、
前記制限ステップでは、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、付記９に記載の制御方法。
（付記１１）
前記携帯端末の現在位置を示す位置情報を取得するステップをさらに有し、
前記受信ステップでは、
前記サーバに対して前記位置情報を送信し、その応答として、前記携帯端末が在圏する地域の外気温を示す前記サーバ側外気温情報を前記サーバから受信する、付記９または１０に記載の制御方法。
（付記１２）
サーバから前記携帯端末が在圏する地域の外気温を示すサーバ側外気温情報を受信するステップをさらに有し、
前記取得ステップでは、
前記サーバ側外気温情報を、前記外気温情報として取得し、
前記制限ステップでは、
前記サーバ側外気温情報が示す外気温が一定範囲外である場合、前記携帯端末の動作を制限する、付記９に記載の制御方法。
（付記１３）
携帯端末に、
前記携帯端末の現在位置付近の外気温を示す外気温情報を取得する取得手順と、
前記外気温情報が示す外気温が一定範囲外である場合、前記携帯端末の動作を制限する制限手順と、を実行させるためのプログラム。
（付記１４）
前記携帯端末に、
前記携帯端末の周囲の外気温を検出し、検出した外気温を示す端末側外気温情報を出力する手順と、
サーバから前記携帯端末が在圏する地域の外気温を示すサーバ側外気温情報を受信する受信手順と、をさらに実行させ、
前記取得手順では、
前記端末側外気温情報および前記サーバ側外気温情報を、前記外気温情報として取得し、
前記制限手順では、
前記端末側外気温情報が示す外気温が一定範囲外である場合、前記携帯端末の動作を制限し、
前記端末側外気温情報が示す外気温が一定範囲内である場合、前記端末側外気温情報および前記サーバ側外気温情報がそれぞれ示す外気温の温度差を求め、該温度差が閾値以上であり、かつ、前記サーバ側外気温情報が示す外気温が一定範囲外であれば、前記携帯端末の動作を制限する、付記１３に記載のプログラム。
（付記１５）
前記携帯端末に、
前記携帯端末の現在位置を示す位置情報を取得する手順をさらに実行させ、
前記受信手順では、
前記サーバに対して前記位置情報を送信し、その応答として、前記携帯端末が在圏する地域の外気温を示す前記サーバ側外気温情報を前記サーバから受信する、付記１３または１４に記載のプログラム。
（付記１６）
前記携帯端末に、
サーバから前記携帯端末が在圏する地域の外気温を示すサーバ側外気温情報を受信する手順をさらに実行させ、
前記取得手順では、
前記サーバ側外気温情報を、前記外気温情報として取得し、
前記制限手順では、
前記サーバ側外気温情報が示す外気温が一定範囲外である場合、前記携帯端末の動作を制限する、付記１３に記載のプログラム。
【符号の説明】
【０１０４】
１０    携帯端末
１１    外気温情報取得部
１２    制限部
１００    携帯端末
１０１    外気温検出部
１０２    接続ＩＦ
１０３    タイマ制御部
１０４    ＧＰＳ部
１０５    通信部
１０６    表示部
１０７    バックライト制御部
１０８    充電制御部
１０９    クロック制御部
１１０    ＣＰＵ
２００    基地局
３００    外気温情報蓄積サーバ
３０１    データベース
３０２    通信部
【図１】
2013153255.tif 000003
【図２】
2013153255.tif 000004
【図３】
2013153255.tif 000005
【図４】
2013153255.tif 000006
【図５】
2013153255.tif 000007